(57)【特許請求の範囲】
【請求項１】
遊技機本体に固定されるハンドル本体と、
前記ハンドル本体に対し相対回動可能に設けられた回動リングと、
を備え、
前記回動リングの回動量に応じて前記遊技機における遊技球の発射強度を定める発射ハンドルであって、
前記ハンドル本体及び前記回動リングの間に位置し、前記ハンドル本体に対し相対回動可能に設けられた固定防止部材と、
前記固定防止部材と前記回動リングとの間に設けられた隙間部と、を備え、
前記固定防止部材は、
前記隙間部内に張り出し、前記隙間部に挿入された異物と当接して所定方向に移動可能な可動片と、
前記ハンドル本体のうち前記固定防止部材に対向する面に対し突出し、前記可動片が前記所定方向に移動したとき、前記対向する面から遠ざかるように移動する突出部と、
を備えることを特徴とする発射ハンドル。
【請求項２】
前記固定防止部材は、前記ハンドル本体側の面に、前記ハンドル本体との摩擦力を低減するための突起を備えていることを特徴とする請求項１記載の発射ハンドル。
【請求項３】
前記突出部は、前記可動片が前記所定方向に移動しないときは、前記対向する面における外周側に当接し、前記可動片が前記所定方向に移動したときは、前記対向する面よりも外側に移動することを特徴とする請求項１又は２記載の発射ハンドル。
【請求項４】
請求項１〜３のいずれかに記載の発射ハンドルを備える遊技機。
【発明の詳細な説明】
【技術分野】
【０００１】
本発明は、例えばパチンコ遊技機等に適用される発射ハンドル、及びその発射ハンドルを備えた遊技機に関する。
【背景技術】
【０００２】
パチンコ遊技機における発射ハンドルは、遊技機本体に固定されるハンドル本体と、ハンドル本体に対し相対回動可能に設けられた回動リング（可動ハンドル）とを備える。遊技者が、回動リングを所定の角度だけ回動させると、パチンコ遊技機の発射装置は、回動リングの回転状態に応じた発射強度で遊技球を発射する。
【０００３】
ところで、ハンドル本体と回動リングとの間にコイン等を差し込み、回動リングを、一定の回動状態で固定することが行われてきた。このように回動リングを固定する行為は禁止されており、近年、警察庁から、発射ハンドルの構造を、回動リングを固定することができないものとするように要望がなされている。
【０００４】
そこで、図５に示すように、回動リングＰ１のうち、ハンドル本体Ｐ３側の部分に、ハンドル本体Ｐ３をオーバーラップするオーバーラップ部材Ｐ５を設け、回動リングＰ１とハンドル本体Ｐ３との隙間へのコインＰ７等の差し込みを防止しようとする技術が提案されている（特許文献１参照）。
【特許文献１】特開２００１−１７０２６７号公報
【発明の開示】
【発明が解決しようとする課題】
【０００５】
しかしながら、上記の技術では、図６に示すように、コインＰ７を横に寝かせ、オーバーラップ部材Ｐ５とハンドル本体Ｐ３との隙間Ｐ９に横方向から差し込むと、回動リングＰ１が固定できてしまう。また、隙間Ｐ９を狭くした場合、無理矢理コインＰ７を差し込まれるおそれがあり、その場合は、隙間Ｐ９が広がったり、形状が変化してしまう。さらに、コインＰ７等を無理矢理差し込まれると、発射ハンドルに負荷がかかり、その故障の原因となる。
【０００６】
本発明は以上の点に鑑みなされたものであり、コイン等の異物を挿入しても可動ハンドルの固定ができない発射ハンドル及び遊技機を提供することを目的とする。
【課題を解決するための手段】
【０００７】
（１）請求項１の発明は、
遊技機本体に固定されるハンドル本体と、前記ハンドル本体に対し相対回動可能に設けられた可動ハンドルと、を備え、前記回動リングの回動量に応じて前記遊技機における遊技球の発射強度を定める発射ハンドルであって、前記ハンドル本体及び前記回動リングの間に位置し、前記ハンドル本体に対し相対回動可能に設けられた固定防止部材と、前記固定防止部材と前記回動リングとの間に設けられた隙間部と、を備え、前記固定防止部材は、前記隙間部内に張り出し、前記隙間部に挿入された異物と当接して所定方向に移動可能な可動片と、前記ハンドル本体のうち前記固定防止部材に対向する面に対し突出し、前記可動片が前記所定方向に移動したとき、前記対向する面から遠ざかるように移動する突出部と、を備えることを特徴とする発射ハンドルを要旨とする。
【０００８】
本発明の発射ハンドルでは、隙間部にコイン等の異物を差し込んだとき、固定防止部材の可動片は異物と当接して所定方向に移動する。すると、固定防止部材の突出部は、ハンドル本体から遠ざかる。このため、隙間部に異物を差し込んでも、固定防止部材とハンドル本体との間の摩擦力が強くなることはなく、固定防止部材はハンドル本体に対し回動可能である。よって、隙間部に異物を差し込んだとき、固定防止部材と可動ハンドルとが固定されたとしても、上記のように、固定防止部材はハンドル本体に対し回動可能であるから、可動ハンドルも、ハンドル本体に対し回動可能であり、固定されることはない。このように、隙間部に異物を差し込んでも可動ハンドルを固定することができないため、遊技者は隙間部に異物を差し込む意欲を失う。
【０００９】
また、異物を隙間部に差しみ、可動ハンドル、固定防止部材、及び異物が相互に固定された状態として、可動ハンドルを回動させても、可動ハンドル、固定防止部材、及び異物が供回りするので、異物との摺動により、発射ハンドルに傷が付いてしまうようなことがない。
（２）請求項２の発明は、
前記固定防止部材は、前記ハンドル本体側の面に、前記ハンドル本体との摩擦力を低減するための突起を備えていることを特徴とする請求項１記載の発射ハンドルを要旨とする。
【００１０】
本発明の発射ハンドルは、固定防止部材のうち、ハンドル本体側の面に突起を備えているので、固定防止部材とハンドル本体との摩擦力を一層低減することができる。そのため、固定防止部材（さらには可動ハンドル）のハンドル本体に対する固定を一層効果的に防止できる。
（３）請求項３の発明は、
前記突出部は、前記可動片が前記所定方向に移動しないときは、前記対向する面における外周側に当接し、前記可動片が前記所定方向に移動したときは、前記対向する面よりも外側に移動することを特徴とする請求項１又は２記載の発射ハンドルを要旨とする。
【００１１】
本発明の発射ハンドルでは、突出部がハンドル本体の外周側に当接しているので、突出部により、固定防止部材とハンドル本体との間の隙間を覆い、この隙間へのコイン等の異物の挿入を防止できる。
【００１２】
また、異物の差し込みにより可動片が所定方向に移動したときは、突出部が外側に移動し、ハンドル本体のうち固定防止部材に対向する面から離れるので、固定防止部材とハンドル本体との摩擦力を確実に低減できる。
（４）請求項４の発明は、
請求項１〜３のいずれかに記載の発射ハンドルを備える遊技機を要旨とする。
【００１３】
本発明の遊技機は、発射ハンドルにおける可動ハンドルの固定を防止することができる。
【発明を実施するための最良の形態】
【００１４】
本発明の実施形態を図面に基づいて説明する。
ａ）遊技機１の全体構成
まず、本発明を適用した遊技機１の全体構成を図１に基づいて説明する。遊技機１は、遊技場に来場した遊技者にパチンコ遊技を提供するものであって、図示しない遊技島に取り付けられる外枠３と、外枠３に開閉可能に取り付けられた内枠５と、内枠５に取り付けられ、遊技者に対面して配置された遊技盤６と、遊技者が遊技行為を行うために遊技盤６上に遊技球８を発射するための発射ハンドル９と、遊技盤６における遊技行為の結果として提供される賞品、ここでは遊技球８（賞品として払い出される遊技球８を賞品球と言う。）を貯留する上受け皿１２と、上受け皿１２から排出される遊技球８を受ける下受け皿１３と、遊技者が操作可能な操作ボタン１５と、内枠５に取り付けられ、遊技を提供するための制御を行う主制御基板４１とを備えている。
【００１５】
遊技者に対面する遊技盤６は、遊技者から見える位置に、遊技者に興趣のある図柄を提供する図柄表示装置２１と、入賞口１７と、普通電動役物１８と、始動入賞口２３と、大入賞口２５と、大入賞口２５を開放することにより大量の賞品球を提供する機能を有する特別電動役物２４と、大入賞口２５の左側に位置し、遊技球８が入賞する左入賞口２７と、大入賞口２５の右側に位置し、遊技球８が入賞する右入賞口２９と、特別図柄遊技の結果を表示する特別図柄表示装置３１と、特別図柄遊技の保留数を表示する特別図柄記憶表示装置３３と、遊技球８が通過すると、普通図柄遊技用の普通図柄始動信号を出力する機能を有する普通図柄始動ゲート３５と、普通図柄遊技の結果を表示する普通図柄表示装置３７と、普通図柄遊技の保留数を表示する普通図柄記憶表示装置３９とを備えている。
【００１６】
ｂ）発射ハンドル９の構成
次に、発射ハンドル９の構成を図２に基づいて説明する。図２に示すように、発射ハンドル９は、可動ハンドル軸４３と、ハンドル本体４５と、回動リング（可動ハンドル）４７と、固定ハンドル４９と、スリップリング（固定防止部材）５１、５３とから構成される。
【００１７】
上記可動ハンドル軸４３は、遊技機１本体の正面側に立設された軸である。上記ハンドル本体４５は、遊技機１の正面側に固定されている。ハンドル本体４５は、その中心を貫く孔５５を備えており、可動ハンドル軸４３は、その孔５５を通り、正面側に突出している。ハンドル本体４５は、直径が大きい大径部５６と、大径部５６よりも正面側に位置し、直径が小さい小径部５７とを備えている。
【００１８】
上記回動リング４７は、その中心を貫く孔５８において、可動ハンドル軸４３に回動可能に軸支されている。よって、回動リング４７は、ハンドル本体４５に対し相対回動可能である。回動リング４７の回動量に応じて、遊技機１の発射装置（図示略）が遊技盤６上に遊技球８を発射する発射強度が変動する。すなわち、回動リング４７の、所定の初期位置からの回動量が大きくなると遊技球８の発射強度が高くなり、回動リング４７の回動量が小さくなると遊技球８の発射強度が低くなる。回動リング４７は図示しない付勢手段により、上記初期位置に戻る方向に回動するように付勢されている。よって、遊技者が回動リング４７を握って回動させた後、手を離すと、回動リング４７は、上記付勢手段により自動的に初期位置に戻る。回動リング４７の外径は、ハンドル本体４５の大径部５６、スリップリング５１、５３、及び固定ハンドル４９の外径よりも大きい。そのため、遊技者は、回動リング４７の外周端を掴みやすく、その操作が容易である。
【００１９】
上記固定ハンドル４９は、図示しない連結部材により、ハンドル本体４５に対し固定されている。よって、固定ハンドル４９も、遊技機１に対し固定されている。固定ハンドル４９は、直径が大きい大径部５０と、大径部５０よりも背面側に位置し、直径が小さい小径部５２とを備えている。
【００２０】
上記スリップリング５１は、弾性変形可能な材質（例えば樹脂）から成り、ハンドル本体４５及び回動リング４７の間に位置する。スリップリング５１は、ハンドル本体４５の小径部５７に外挿された円環部５９と、円環部５９の外周に取り付けられた円盤部６１と、円盤部６１の外周端６１ａにおける正面側から、内周方向に延びる可動片６３と、外周端６１ａの背面側に立設された突出部６５と、から構成される。なお、可動片６３及び突出部６５は、円盤部６１の外周全体にわたって設けられている。
【００２１】
スリップリング５１と回動リング４７との間には隙間６７が存在する。この隙間６７の入り口付近は、コイン（例えば日本国で流通しているコイン）６９を差し込むことが可能な幅を有する。上記可動片６３は、外周端６１ａから、隙間６７の中を、内周側（円環部５９に近づく方向）に向かって延びており、内周側に近づくほど、正面方向に大きく張り出している。よって、可動片６３と回動リング４７との距離は、内周側に近づくほど、狭くなっている。また、円環部５９は、小径部５７に対して回動可能である。よって、スリップリング５１は、小径部５７を中心として、ハンドル本体４５に対し相対回動可能である。突出部６５は、先端に近づく程細くなる形状を有し、隙間６７に異物が挿入されていないときは、その先端６５ａにおいて、ハンドル本体４５の大径部５６における正面側の面（スリップリング５１に対向する面）５６ａのうち、最外周部に当接している。円環部５９のうち、正面側の面５６ａに対向する面５９ａの外周側には、半球状の突起５９ｂが形成されている。
【００２２】
上記スリップリング５３は、上記スリップリング５１と同様の形状を有するが、正面側と背面側とが逆となる向きで取り付けられている。スリップリング５３は、固定ハンドル４９の小径部５２に、回動可能に取り付けられている。
【００２３】
ｃ）発射ハンドル９の作用
次に、隙間６７にコインを差し込んだときの発射ハンドル９の作用効果を図３及び図４に基づいて説明する。
【００２４】
(i)図３に示すように、隙間６７の入り口付近の幅は、コイン６９の幅より大きいので、隙間６７にコイン６９を差し込むことができる。コイン６９を隙間６７に差し込んでいないとき、スリップリング５１の可動片６３は、内周側に近づくほど、正面方向に大きく張り出している。
【００２５】
図４に示すように、コイン６９を隙間６７の奥まで差し込んだとき、コイン６９は可動片６３にぶつかる。可動片６３は、上述したように、外周端６１ａから内周方向に向けて延び、内周側に近づくほど大きく正面方向に張り出しているので、コイン６９を内周方向に差し込むにつれて、可動片６３は、コイン６９に押され、外周端６１ａを中心として、図４における時計回りに回動するように変形する。すると、外周端６１ａを介して可動片６３と接続している突出部６５も、外周端６１ａを中心として、図４における時計回りに回動する。その結果、突出部６５の先端６５ａは、大径部５６の正面側の面５６ａにおける最外周部よりも更に外側に移動し、正面側の面５６ａに当接しなくなる（面５６ａから遠ざかる）。
【００２６】
このように、隙間６７にコイン６９を差し込んだとき、スリップリング５１のうち、ハンドル本体４５と当接していた突出部６５が、ハンドル本体４５から外れるので、円盤部６１が多少ハンドル本体４５方向に移動しても、スリップリング５１とハンドル本体４５との間の摩擦力が強くなく、スリップリング５１はハンドル本体４５に対し回動可能である。よって、隙間６７にコイン６９を差し込んだとき、スリップリング５１と回動リング４７とが固定されたとしても、上記のように、スリップリング５１はハンドル本体４５に対し回動可能であるから、回動リング４７も、ハンドル本体４５に対し回動可能であり、固定されることはない。このように、隙間６７にコイン６９を差し込んでも回動リング４７を固定することができないため、遊技者は隙間６７にコイン６９を差し込む意欲を失う。
【００２７】
また、コイン６９を隙間６７に差し込んだ状態で回動リング４７を回動させても、回動リング４７、スリップリング５１、及びコイン６９が供回りするので、コイン６９との摺動により、発射ハンドル９に傷が付いてしまうようなことがない。
【００２８】
スリップリング５３も、スリップリング５１と同様に、スリップリング５３と回動リング４７との隙間にコインを指し込んだときでも、固定ハンドル４９に対する回動リング４７の固定を防止することができる。
【００２９】
(ii)スリップリング５１は、その円環部５９に、突起５９ｂを備えており、コイン６９を隙間６７に差し込み、円環部５９がハンドル本体４５側に近づいたときでも、その円環部５９とハンドル本体４５との接点は突起５９ｂのみであるから、スリップリング５１とハンドル本体４５との間の摩擦力が強くなることはなく、スリップリング５１はハンドル本体４５に対し固定されない。
【００３０】
なお、隙間６７に差し込まれたコイン６９からの押圧力は、直接的には円環部５９に伝わらず、可動片６３のみに伝わり、しかも、可動片６３の弾性変形により押圧力の大部分が吸収されるから、円環部５９に、ハンドル本体４５方向への大きな押圧力が加わることはない。そのため、コイン６９を隙間６７に差し込んでも、円環部５９がハンドル本体４５の方向に強く押しつけられることはない。
【００３１】
(iii) スリップリング５１の突出部６５は、円盤部６１及びハンドル本体４５の最外周にて、それらの間の隙間を覆っているので、この隙間にコイン等を挿入されることを防止できる。
【００３２】
尚、本発明は前記実施の形態になんら限定されるものではなく、本発明を逸脱しない範囲において種々の態様で実施しうることはいうまでもない。
例えば、スリップリング５１、５３の代わりに、リング以外の形状を有する固定防止部材を用いても良い。例えば、固定防止部材の形状を、スリップリング５１、５３において、円環部５９、円盤部６１、可動片６３、及び突出部６５のうちの一部又は全部を、円周方向において複数に分割し、連続（一体化）しないようにした形状としてもよい。
【００３３】
また、図５、図６に示す形状の発射ハンドルに本発明を適用してもよい。この場合、ハンドル本体Ｐ３と、オーバーラップ部材Ｐ５との間に円環状のスリップリングを挿入することができる。この円環状のスリップリングは、例えば、外周側／内周側のうちの一方に、前記実施の形態における可動片６３に相当する部材、及び隙間６７を備え、他方に突出部６５に相当する部材を備えるようにすることができる。この構成により、前記実施の形態と同様に、ハンドル本体Ｐ３とオーバーラップ部材Ｐ５との間にコインなどを挿入しても、ハンドル本体Ｐ３と、オーバーラップ部材Ｐ５（回動リングＰ１）との固定を防止することができる。
【図面の簡単な説明】
【００３４】
【図１】遊技機１の構成を表す正面図である。
【図２】発射ハンドル９の構成を表す側断面図である。
【図３】発射ハンドル９の作用を表す説明図である。
【図４】発射ハンドル９の作用を表す説明図である。
【図５】従来の発射ハンドルの構成を表す説明図である。
【図６】従来の発射ハンドルの構成を表す説明図である。
【符号の説明】
【００３５】
１・・・遊技機、３・・・外枠、５・・・内枠、６・・・遊技盤、８・・・遊技球、
９・・・発射ハンドル、１２・・・上受け皿、１３・・・下受け皿、
１５・・・操作ボタン、１７・・・入賞口、１８・・・普通電動役物、
２３・・・始動入賞口、２４・・・特別電動役物、２５・・・大入賞口、
２７・・・左入賞口、２９・・・右入賞口、３１・・・特別図柄表示装置、
３３・・・特別図柄記憶表示装置、３５・・・普通図柄始動ゲート、
３７・・・普通図柄表示装置、３９・・・普通図柄記憶表示装置、
４１・・・主制御基板、４３・・・可動ハンドル軸、４５・・・ハンドル本体、
４７・・・可動ハンドル、４９・・・固定ハンドル、５０・・・大径部、
５１、５３・・・スリップリング、５２・・・小径部、５５、５８・・・孔、
５６・・・大径部、５７・・・小径部、５９・・・円環部、
５９ｂ・・・突起、６１・・・円盤部、６１ａ・・・外周端、６３・・・可動片、
６５・・・突出部、６５ａ・・・先端、６７・・・隙間、６９・・・コイン
【図１】
0005125586.tif 000002
【図２】
0005125586.tif 000003
【図３】
0005125586.tif 000004
【図４】
0005125586.tif 000005
【図５】
0005125586.tif 000006
【図６】
0005125586.tif 000007